(57)【要約】【課題】相手方コネクタ装置のシグナルコンタクト部との接続状態を損なうことなく、相手方コネクタ装置に係合接続された状態のもとで、相手方コネクタ装置のシグナルコンタクト部から高周波信号を取り出すことができる同軸コネクタ装置を提供する。【解決手段】絶縁ハウジング部材１６内に、同軸ケーブル１３の中心導体１１に接続された第１のコンタクト１８と弾性変形部３３及び接触係合部３４を有した第２のコンタクト１９とが、弾性変形部３３が接触係合部３４を覆うものとされて配され、弾性変形部３３が第１のコンタクト１８に接触接続したもとで、絶縁ハウジング部材１６を貫通して設けられた透孔４８を通じて絶縁ハウジング部材１６内に挿入された検査用プローブ６０の電極部材６３により、弾性変形部３３が、第１のコンタクト１８に接触接続された状態と第１のコンタクト１８から離隔した状態とを選択的にとるものとされる。【選択図】図１８
2018006110.tif 000002
【特許請求の範囲】
【請求項１】
同軸ケーブルの中心導体を外部シグナルコンタクト部に連結する状態をとるシグナルコンタクト部材と、
外部グラウンドコンタクト部に嵌合接続される環状嵌合部、及び、該環状嵌合部から折曲可能に伸びて上記同軸ケーブルの外側導体との接続状態におかれるシェル部を有したグラウンドコンタクト部材と、
上記シグナルコンタクト部材と上記グラウンドコンタクト部材とを相互絶縁状態をもって支持する絶縁ハウジング部材と、
を備えて構成され、
上記絶縁ハウジング部材が、上記グラウンドコンタクト部材の環状嵌合部により包囲された筒状体部を有し、上記シグナルコンタクト部材が取り付けられた第１のハウジングと、上記グラウンドコンタクト部材のシェル部に取り付けられて、上記第１のハウジングに該第１のハウジングとの間にコンタクト収容空間を形成して対向する状態をとる第２のハウジングとを含んで成り、
上記第２のハウジング及びシェル部に、該第２のハウジング及びシェル部の夫々を貫通するものとされて、上記第２のハウジングが上記第１のハウジングに対向したもとで上記コンタクト収容空間を上記シェル部の外部に通じさせる透孔が設けられ、
上記シグナルコンタクト部材が、上記同軸ケーブルの中心導体との接続がなされて上記コンタクト収容空間内へと伸びる第１のコンタクトと、上記コンタクト収容空間内に配される弾性変形部及び該弾性変形部から上記第１のハウジングの筒状体部内を通じて伸びて上記外部シグナルコンタクト部に接触接続される状態をとる接触係合部を有した第２のコンタクトとを含んで成り、
上記第２のコンタクトの弾性変形部が、該弾性変形部から伸びる上記接触係合部における上記外部シグナルコンタクト部との接触接続部分を覆う位置をとり、上記第２のハウジングが上記第１のハウジングに対向したもとで上記コンタクト収容空間内における上記透孔の一端に対応する位置に配されるものとされ、上記コンタクト収容空間内において上記第１のコンタクトに接触接続される接触部分と、上記透孔を通じて上記シェル部の外部から上記コンタクト収容空間内に挿入された外部電極部材が当接する被当接部分とを有し、上記接触部分を上記第１のコンタクトに接触接続させた状態と上記外部電極部材が当接した上記被当接部分が弾性変形を生じて上記接触部分を上記第１のコンタクトから離隔させる状態とを選択的にとること、
を特徴とする同軸コネクタ装置。
【請求項２】
上記第２のコンタクトの弾性変形部における上記被当接部分が、該被当接部分に当接する上記外部電極部材に弾性接触押圧力を及ぼすとともに、上記第２のコンタクトの弾性変形部における上記接触部分に、上記第１のコンタクトに弾性接触押圧力を及ぼすもとで該第１のコンタクトに接触接続された状態をとらせることを特徴とする請求項１記載の同軸コネクタ装置。
【請求項３】
上記第２のハウジング及びシェル部に形成された上記透孔が、上記シェル部に設けられた第１の貫通孔と上記第２のハウジングに設けられた上記第１の貫通孔より小径の第２の貫通孔とから成ることを特徴とする請求項１記載の同軸コネクタ装置。
【請求項４】
上記シェル部が上記第１の貫通孔の周囲において上記シェル部の外方に突出する第１の筒状部を有し、上記第２のハウジングが上記第２の貫通孔の周囲に配されて上記第１の筒状部に上記第１の貫通孔を通じて内挿嵌合される第２の筒状部を有していることを特徴とする請求項３記載の同軸コネクタ装置。
【請求項５】
上記透孔が上記第２のハウジング及びシェル部の夫々を貫通する方向において、上記シェル部に設けられた上記第１の貫通孔が上記第２のハウジングに設けられた第２の貫通孔の外側に配されていることを特徴とする請求項３記載の同軸コネクタ装置。
【発明の詳細な説明】
【技術分野】
【０００１】
本願の特許請求の範囲に記載された発明は、中心導体とそれを内部絶縁体を介して包囲する外側導体とが表皮絶縁体により被覆されて成る同軸ケーブルの中心導体及び外側導体に夫々接続される、互いに絶縁されたシグナルコンタクト部材及びグラウンドコンタクト部材を備えて成り、他のコネクタ装置である相手方コネクタ装置に嵌合連結される同軸コネクタ装置に関する。
【背景技術】
【０００２】
複数の電気／電子部品，電気装置あるいは電子機器間等における高周波信号の伝送には、外部ノイズの影響を受け難い信号伝送路を形成する、中心導体とそれを内部絶縁体を介して包囲する外側導体とが表皮絶縁体により被覆されて成る同軸ケーブルが用いられることが多い。例えば、同軸ケーブルが高周波信号を扱う回路基板に接続されて、当該回路基板からその外部への同軸ケーブルを通じた高周波信号の伝送、あるいは、当該回路基板への外部からの高周波信号の同軸ケーブルを通じた伝送が行われる。
【０００３】
同軸ケーブルが回路基板に接続されるにあたっては、同軸ケーブルの一端に装着された同軸コネクタ装置が、例えば、回路基板において扱われる高周波信号が供給される中心シグナルコンタクト部と中心シグナルコンタクト部を包囲して配されてグラウンド電位が与えられる環状グラウンドコンタクト部とを備えて回路基板に取り付けられた相手方コネクタ装置に係合接続される。斯かる際における同軸コネクタ装置は、同軸ケーブルの中心導体を相手方コネクタ装置における中心シグナルコンタクト部に連結するシグナルコンタクト部材と、同軸ケーブルの外側導体を相手方コネクタ装置における環状グラウンドコンタクト部に連結するグラウンドコンタクト部材とが、ハウジングによって相互絶縁状態をもって支持されたものとされる。そして、同軸コネクタ装置の相手方コネクタ装置との係合接続は、例えば、同軸コネクタ装置のグラウンドコンタクト部材が相手方コネクタ装置の環状グラウンドコンタクト部に嵌合接続されるもとで、同軸コネクタ装置のシグナルコンタクト部材が相手方コネクタ装置の中心シグナルコンタクト部に接触接続される状態がとられて行われる。
【０００４】
このようにして同軸ケーブルの一端に装着された同軸コネクタ装置が回路基板に取り付けられた相手方コネクタ装置に係合接続されたもとにおいて、例えば、回路基板に搭載された集積回路チップにおいて扱われる高周波信号が、当該集積回路チップからそれが搭載された回路基板の外部へと同軸ケーブルを通じて伝送される状態、あるいは、回路基板に搭載された集積回路チップに同軸ケーブルを通じて伝送された高周波信号が供給される状態がとられる。斯かる際、同軸コネクタ装置については、回路基板に搭載された集積回路チップの実働状態についての検査を行うため、同軸コネクタ装置が相手方コネクタ装置に係合接続された状態のもとで、相手方コネクタ装置の中心シグナルコンタクト部を通じて、集積回路チップからの高周波信号を取り出すこと、あるいは、集積回路チップに高周波信号を供給すること、ができるものとされることが要求される。
【０００５】
従来、同軸コネクタ装置として様々なものが知られているが、それらのうちの一つとして、同軸ケーブルの中心導体に接続されて相手方コネクタ装置の中心シグナルコンタクト部に接触接続されるシグナル導体と、同軸ケーブルの外側導体に接続されて相手方コネクタ装置の環状グラウンドコンタクト部に接触接続されるグラウンド導体と、シグナル導体及びグラウンド導体を相互絶縁状態をもって支持するハウジングとを備えて構成され、相手方コネクタ装置に係合接続された状態のもとで、ハウジング及びそれを覆う部分を有したグラウンド導体の夫々を貫通する透孔を通じて挿入された外部導体部材が、相手方コネクタ装置の中心シグナルコンタクト部に当接せしめられることにより、当該外部導体部材を通じて相手方コネクタ装置の中心シグナルコンタクト部から高周波信号を取り出すことができるものが提案されている（例えば、特許文献１参照。）。
【０００６】
特許文献１に開示されている同軸コネクタ装置 (ケーブル側コネクタ(20)) は、同軸ケーブル(90)の中心導体(93)に接続されて、基板(3) に装着された相手方コネクタ装置 (基板側コネクタ(70)) の中心シグナルコンタクト部 (中心端子(71)) に接触接続されるシグナル導体 (端子(21)) と、同軸ケーブルの外側導体(91)に接続されて、基板(3) に装着された相手方コネクタ装置の環状グラウンドコンタクト部 (外側導体(76)) に接触接続されるグラウンド導体 (外側シェル(40)) とが、ハウジング(30)により相互絶縁状態をもって支持されて構成されている。そして、シグナル導体は、その基部(22)に、同軸ケーブルの中心導体を掴む掴み部(22A) と相互対向する一対のアーム部(23)とが基部を挟んで互いに反対方向に伸びるものとして設けられたものとされており、一対のアーム部(23)の自由端部には、各々が板状体を成して相互対向する一対の接触片 (24-1,24-2)が弾性可動部を形成するものとして夫々設けられている。また、グラウンド導体は、ハウジングを部分的に覆う先端覆部(41)を有しており、先端覆部におけるハウジングにより支持されたシグナル導体に対応する部分には、透孔（挿通孔(41A))及びそれを包囲する筒部(41B) が設けられている。
【０００７】
このような従来提案された同軸コネクタ装置が相手方コネクタ装置に係合接続されたもとにあっては、グラウンド導体における筒状部(46)が、相手方コネクタ装置の環状グラウンドコンタクト部に嵌合して当該環状グラウンドコンタクト部に接触接続されるとともに、シグナル導体における一対の接触片が、相手方コネクタ装置の中心シグナルコンタクト部を弾性挟持して当該中心シグナルコンタクト部に接触接続される。それにより、例えば、相手方コネクタ装置が装着された基板(3) からの高周波信号が、相手方コネクタ装置の中心シグナルコンタクト部及び同軸コネクタ装置のシグナル導体を介して、同軸コネクタ装置のシグナル導体が接続された同軸ケーブルの中心導体を通じて基板外へと伝送される。
【０００８】
斯かるもとで、例えば、基板に搭載されて高周波信号を扱う集積回路チップの実働状態についての検査時であって、相手方コネクタ装置の中心シグナルコンタクト部から高周波信号を取り出すことが必要とされる場合には、検査用プローブ(11') におけるその先端付近に環状絶縁部材（絶縁部(18)) が配された中心端子(13') が、外部導体部材として、同軸コネクタ装置内にグラウンド導体における先端覆部に設けられた透孔を通じて挿入され、中心端子の先端付近に配された環状絶縁部材がシグナル導体における一対の接触片に当接してそれらを相互離隔する方向に弾性変位させるとともに、中心端子の先端部分が相手方コネクタ装置の中心シグナルコンタクト部に当接する状態がとられる。このとき、中心端子の先端付近に配された環状絶縁部材が当接して相互離隔する方向に弾性変位せしめられるシグナル導体における一対の接触片は、相手方コネクタ装置の中心シグナルコンタクト部に対する弾性挟持を解除して、当該中心シグナルコンタクト部から離隔する。それにより、相手方コネクタ装置の中心シグナルコンタクト部には、検査用プルーブにおける中心端子の先端部分のみが当接接触することになり、その結果、同軸コネクタ装置が相手方コネクタ装置に係合接続された状態のもとで、外部導体部材である検査用プルーブにおける中心端子を通じて、相手方コネクタ装置の中心シグナルコンタクト部から高周波信号を取り出すことができることになる。その後、検査が終了して、同軸コネクタ装置内にグラウンド導体における先端覆部に設けられた透孔を通じて挿入された検査用プローブにおける中心端子が抜去されると、シグナル導体における一対の接触片が相手方コネクタ装置の中心シグナルコンタクト部を弾性挟持して当該中心シグナルコンタクト部に接触接続される状態に自動的に復帰する。
【先行技術文献】
【特許文献】
【０００９】
【特許文献１】特開２０１６−３８９３９号公報
【発明の概要】
【発明が解決しようとする課題】
【００１０】
上述の特許文献１に開示された従来提案されている同軸コネクタ装置にあっては、例えば、基板に搭載されて高周波信号を扱う集積回路チップの実働状態についての検査時において、同軸コネクタ装置が基板に装着された相手方コネクタ装置に係合接続された状態のもとで、同軸コネクタ装置内にグラウンド導体における先端覆部に設けられた透孔を通じて挿入された検査用プルーブにおける中心端子を通じて、相手方コネクタ装置の中心シグナルコンタクト部から高周波信号を取り出すことができるが、斯かる検査が行われていないときには、グラウンド導体における先端覆部に設けられた透孔が開放されたものとされ、ハウジングにおけるシグナル導体の一対の接触片が配された部分が、開放された透孔を通じて、ハウジングを部分的に覆うグラウンド導体の外部に臨む状態におかれることになり、それによる不都合が生じる。即ち、ハウジングにおけるシグナル導体が配された部分が開放された透孔を通じてグラウンド導体の外部に臨む状態におかれることにより、開放された透孔を通じて同軸コネクタ装置内に侵入した塵埃等が、同軸ケーブルの中心導体に接続されたシグナル導体の一対の接触片及びそれらが弾性挟持して接触接続される相手方コネクタ装置の中心シグナルコンタクト部に付着することになり、斯かる付着した塵埃によって、シグナル導体の一対の接触片とそれらが弾性挟持する相手方コネクタ装置の中心シグナルコンタクト部との間の適正な接触接続状態が損なわれる事態、あるいは、シグナル導体の一対の接触片とそれらが弾性挟持する相手方コネクタ装置の中心シグナルコンタクト部との間の高周波信号に対するインピーダンスの劣化が生じる事態がもたらされる虞が懸念されるのである。
【００１１】
また、特許文献１においては、グラウンド導体における先端覆部に設けられた透孔を塞ぐ蓋(49)を用意して当該蓋を同軸コネクタ装置に取り付け、それにより、ハウジングにおけるシグナル導体の一対の接触片が配された部分が開放された透孔を通じてグラウンド導体の外部に臨む状態におかれる事態を回避することが提案されているが、斯かる際には、同軸コネクタ装置とは別体のものとされる蓋を作成しなければならず、部材数の増加と蓋を同軸コネクタ装置に対して着脱することに伴う作業上の煩わしさとがもたらされるという新たな不都合が生じる。
【００１２】
斯かる点に鑑み、本願の特許請求の範囲に記載された発明は、同軸ケーブルの中心導体を、相手方コネクタ装置のシグナルコンタクト部に連結する状態をとるシグナルコンタクト部材と、同軸ケーブルの外側導体に接続されるシェル部を有し、同軸ケーブルの外側導体を相手方コネクタ装置のグラウンドコンタクト部に連結するグラウンドコンタクト部材と、シグナルコンタクト部材とグラウンドコンタクト部材とを相互絶縁状態をもって支持する絶縁ハウジング部材とを備えて構成され、相手方コネクタ装置に係合接続された状態のもとで、絶縁ハウジング部材及びグラウンドコンタクト部材のシェル部の夫々を貫通する透孔を通じて挿入された外部電極部材を通じて相手方コネクタ装置のシグナルコンタクト部から高周波信号を取り出すことができ、しかも、部材数の増加や作業上の煩わしさを招かない構成をもって、開放された透孔を通じて侵入した塵埃等がシグナルコンタクト部材と相手方コネクタ装置のシグナルコンタクト部との接触接続状態に悪影響を及ぼす事態を回避することができる同軸コネクタ装置を提供する。
【課題を解決するための手段】
【００１３】
本願の特許請求の範囲における請求項１から請求項５までのいずれかに記載された発明に係る同軸コネクタ装置（以下、本願発明に係る同軸コネクタ装置という。）は、同軸ケーブルの中心導体を外部シグナルコンタクト部に連結する状態をとるシグナルコンタクト部材と、外部グラウンドコンタクト部に嵌合接続される環状嵌合部、及び、当該環状嵌合部から折曲可能に伸びて上記同軸ケーブルの外側導体との接触状態におかれるシェル部を有したグラウンドコンタクト部材と、シグナルコンタクト部材とグラウンドコンタクト部材とを相互絶縁状態をもって支持する絶縁ハウジング部材とを備えて構成される。そして、絶縁ハウジング部材が、グラウンドコンタクト部材の環状嵌合部により包囲された筒状体部を有し、シグナルコンタクト部材が取り付けられた第１のハウジングと、グラウンドコンタクト部材のシェル部に取り付けられて、第１のハウジングにそれとの間にコンタクト収容空間を形成して対向する状態をとる第２のハウジングとを含んで成り、第２のハウジング及びシェル部に、それらの夫々を貫通して設けられ、第２のハウジングが第１のハウジングに対向したもとでコンタクト収容空間をシェル部の外部に通じさせる透孔が形成され、シグナルコンタクト部材が、同軸ケーブルの中心導体との接続がなされてコンタクト収容空間内へと伸びる第１のコンタクトと、コンタクト収容空間内に配された弾性変形部及びそれから第１のハウジングの筒状体部内へと伸びて外部シグナルコンタクト部に接触接続される状態をとる接触係合部を有した第２のコンタクトとを含んで成り、第２のコンタクトの弾性変形部が、それから伸びる接触係合部における外部シグナルコンタクト部との接触接続部分を覆う位置をとり、第２のハウジングが第１のハウジングに対向したもとでコンタクト収容空間内における透孔の一端に対応する位置に配されるものとされ、コンタクト収容空間内において第１のコンタクトに接触接続される接触部分と、透孔を通じてシェル部の外部からコンタクト収容空間内に挿入された外部電極部材が当接する被当接部分とを有し、接触部分を第１のコンタクトに接触接続させた状態と外部電極部材が当接した被当接部分が弾性変形を生じて接触部分を第１のコンタクトから離隔させる状態とを選択的にとることを特徴とするものとされる。
【００１４】
このような本願発明に係る同軸コネクタ装置にあっては、絶縁ハウジング部材を構成する第１のハウジングに取り付けられたシグナルコンタクト部材が、それにおける第２のコンタクトの弾性変形部における接触部分が同軸ケーブルの中心導体に接続された第１のコンタクトに接触接続された状態をとるもとで、絶縁ハウジング部材の第２のハウジングが取り付けられたグラウンドコンタクト部材のシェル部が、グラウンドコンタクト部材の環状嵌合部に向かって屈曲せしめられ、第１のハウジングを第２のハウジングに対向させて両者間にコンタクト収容空間が形成される状態となすとともに、同軸ケーブルの外側導体との接触状態をとるものとされる。そして、このようにして同軸ケーブルの一端に装着された本願発明に係る同軸コネクタ装置は、例えば、回路基板に取り付けられた相手方コネクタ装置に係合接続される。
【００１５】
斯かる際には、コンタクト収容空間に配されたシグナルコンタクト部材における第２のコンタクトの弾性変形部が、第２のハウジング及びシェル部にそれらの夫々を貫通して設けられた透孔の一端に対応する位置をとるものとされたもとで、弾性変形部から伸びる接触係合部が外部シグナルコンタクト部とされる相手方コネクタ装置のシグナルコンタクト部に接触接続されるとともに、グラウンドコンタクト部材の環状嵌合部が外部グラウンドコンタクト部とされる相手方コネクタ装置のグラウンドコンタクト部に嵌合接続される。それにより、同軸ケーブルの中心導体が、シグナルコンタクト部材における第１のコンタクトとシグナルコンタクト部材における第２のコンタクトの弾性変形部及び接触係合部とを通じて、相手方コネクタ装置のシグナルコンタクト部に連結され、例えば、相手方コネクタ装置が取り付けられた回路基板からの高周波信号が同軸ケーブルの中心導体へと伝達されて、同軸ケーブルを通じて伝送される。
【００１６】
このようなもとで、コンタクト収容空間において第２のハウジング及びシェル部にそれらの夫々を貫通して設けられた透孔の一端に対応する位置をとるシグナルコンタクト部材における第２のコンタクトの弾性変形部は、それから伸びる接触係合部における外部シグナルコンタクト部との接触接続部分を覆い、当該弾性変形部から伸びる接触係合部における外部シグナルコンタクト部とされる相手方コネクタ装置のシグナルコンタクト部に接触接続される部位が、第２のハウジング及びシェル部に設けられた透孔を通じてシェル部の外部に臨まないようにしている。
【００１７】
そして、例えば、検査用プローブの電極部材とされる外部電極部材が、グラウンドコンタクト部材のシェル部の外部から第２のハウジング及びシェル部にそれらの夫々を貫通して設けられた透孔を通じてコンタクト収容空間内に挿入されて、透孔の一端に対応する位置をとるものとされたシグナルコンタクト部材における第２のコンタクトの弾性変形部における被当接部に押圧当接するとき、当該弾性変形部が弾性変形を生じ、それにおける接触部分をシグナルコンタクト部材における第１のコンタクトから離隔させて、当該第１のコンタクトとの接触接続状態を解除させる。その結果、シグナルコンタクト部材における第２のコンタクトの弾性変形部は、それから伸びる接触係合部が外部シグナルコンタクト部とされる相手方コネクタ装置のシグナルコンタクト部に接触接続されたもとで、検査用プローブの電極部材とされる外部電極部材のみとの接触接続状態におかれ、シグナルコンタクト部材における第２のコンタクトの接触係合部及び弾性変形部と検査用プローブの電極部材とされる外部電極部材とを通じて、外部シグナルコンタクト部とされる相手方コネクタ装置のシグナルコンタクト部から高周波信号を取り出すことができることになる。
【００１８】
その後、第２のハウジング及びシェル部にそれらの夫々を貫通して設けられた透孔を通じてコンタクト収容空間内に挿入された検査用プローブの電極部材とされる外部電極部材が、グラウンドコンタクト部材のシェル部の外部へと抜去されて、透孔が開放状態とされると、第２のコンタクトの弾性変形部が弾性変形を生じた状態から自らの弾性によって元の状態に復帰し、それにおける接触部分に第１のコンタクトとの接触接続状態をとらせる。
【発明の効果】
【００１９】
上述の本願発明に係る同軸コネクタ装置においては、相手方コネクタ装置に係合接続された状態のもとで、第２のハウジング及びグラウンドコンタクト部材のシェル部の夫々を貫通する透孔を通じてコンタクト収容空間内に挿入された外部電極部材を通じて、相手方コネクタ装置のシグナルコンタクト部から高周波信号を取り出すことができる。そして、コンタクト収容空間において第２のハウジング及びシェル部にそれらの夫々を貫通して設けられた透孔の一端に対応する位置をとるシグナルコンタクト部材における第２のコンタクトの弾性変形部が、それから伸びる接触係合部における外部シグナルコンタクト部との接触接続部分を覆い、当該弾性変形部から伸びる接触係合部における外部シグナルコンタクト部とされる相手方コネクタ装置のシグナルコンタクト部に接触接続される部位が、第２のハウジング及びシェル部に設けられた透孔を通じてシェル部の外部に臨まないようにしているので、開放された透孔を通じてコンタクト収容空間内に侵入した塵埃等が、シグナルコンタクト部材における第２のコンタクトの弾性変形部から伸びる接触係合部やそれが接触接続される外部シグナルコンタクト部とされる相手方コネクタ装置のシグナルコンタクト部に付着する事態が阻止される。その結果、シグナルコンタクト部材における第２のコンタクトの弾性変形部から伸びる接触係合部やそれが接触接続される外部シグナルコンタクト部とされる相手方コネクタ装置のシグナルコンタクト部に付着した塵埃によって、接触係合部と相手方コネクタ装置のシグナルコンタクト部との間の適正な接触接続状態が損なわれる事態、あるいは、接触係合部と相手方コネクタ装置のシグナルコンタクト部との間の高周波信号に対するインピーダンスの劣化が生じる事態がもたらされる虞を回避することができる。
【００２０】
従って、本願発明に係る同軸コネクタ装置によれば、相手方コネクタ装置に係合接続された状態のもとで、第２のハウジング及びグラウンドコンタクト部材のシェル部の夫々を貫通する透孔を通じてコンタクト収容空間内に挿入された外部電極部材を通じて、相手方コネクタ装置のシグナルコンタクト部から高周波信号を取り出すことができ、しかも、部材数の増加や作業上の煩わしさを招かない構成をもって、開放された透孔を通じて侵入した塵埃等がシグナルコンタクト部材と相手方コネクタ装置のシグナルコンタクト部との接触接続状態に悪影響を及ぼす事態を回避することができることになる。
【図面の簡単な説明】
【００２１】
【図１】本願発明に係る同軸コネクタ装置の第１の例をそれが同軸ケーブルの一端に装着された状態をもって示す斜視図である。
【図２】本願発明に係る同軸コネクタ装置の第１の例をそれが同軸ケーブルの一端に装着された状態をもって示す側面図である。
【図３】本願発明に係る同軸コネクタ装置の第１の例をそれが同軸ケーブルの一端に装着された状態をもって示す正面図である。
【図４】本願発明に係る同軸コネクタ装置の第１の例をそれが同軸ケーブルの一端に装着された状態をもって示す底面図である。
【図５】図３における V−V 線断面を示す断面図である。
【図６】図２におけるVI−VI線断面を示す断面図である。
【図７】本願発明に係る同軸コネクタ装置の第１の例が備えるシグナルコンタクト部を構成する第１及び第２のコンタクトのうちの第１のコンタクトを示す斜視図である。
【図８】本願発明に係る同軸コネクタ装置の第１の例が備えるシグナルコンタクト部材を構成する第１及び第２のコンタクトのうちの第２のコンタクトを示す斜視図である。
【図９】本願発明に係る同軸コネクタ装置の第１の例が備えるシグナルコンタクト部材を構成する第１及び第２のコンタクトのうちの第２のコンタクトを示す斜視図である。
【図１０】本願発明に係る同軸コネクタ装置の第１の例が備えるグラウンドコンタクト部材を示す斜視図である。
【図１１】本願発明に係る同軸コネクタ装置の第１の例が備える絶縁ハウジング部材を構成する第１及び第２のハウジングのうちの第１のハウジングを示す斜視図である。
【図１２】本願発明に係る同軸コネクタ装置の第１の例が備える絶縁ハウジング部材を構成する第１及び第２のハウジングのうちの第２のハウジングを示す斜視図である。
【図１３】本願発明に係る同軸コネクタ装置の第１の例が係合接続される相手方コネクタ装置の一例を示す斜視図である。
【図１４】本願発明に係る同軸コネクタ装置の第１の例が係合接続される相手方コネクタ装置の一例を示す側面図である。
【図１５】本願発明に係る同軸コネクタ装置の第１の例が係合接続される相手方コネクタ装置の一例を示す底面図である。
【図１６】本願発明に係る同軸コネクタ装置の第１の例に検査用プローブの一例の電極部材が対向配置された状態を示す部分断面図である。
【図１７】本願発明に係る同軸コネクタ装置の第１の例に検査用プローブの一例の電極部材が対向配置された状態を示す部分断面図である。
【図１８】本願発明に係る同軸コネクタ装置の第１の例に、それに設けられた透孔を通じて、検査用プローブの一例の電極部材が挿入された状態を示す部分断面図である。
【図１９】本願発明に係る同軸コネクタ装置の第１の例に、それに設けられた透孔を通じて、検査用プローブの一例の電極部材が挿入された状態を示す部分断面図である。
【図２０】本願発明に係る同軸コネクタ装置の第２の例をそれが同軸ケーブルの一端に装着された状態をもって示す斜視図である。
【図２１】本願発明に係る同軸コネクタ装置の第２の例をそれが同軸ケーブルの一端に装着された状態をもって示す側面図である。
【図２２】本願発明に係る同軸コネクタ装置の第２の例をそれが同軸ケーブルの一端に装着された状態をもって示す正面図である。
【図２３】図２２における XXIII−XXIII 線断面を示す断面図である。
【図２４】図２１におけるXXIV−XXIV線断面を示す断面図である。
【図２５】本願発明に係る同軸コネクタ装置の第２の例が備えるグラウンドコンタクト部材を示す斜視図である。
【図２６】本願発明に係る同軸コネクタ装置の第２の例が備えるハウジング部材を構成する第１及び第２のハウジングのうちの第２のハウジングを示す斜視図である。
【図２７】本願発明に係る同軸コネクタ装置の第２の例に検査用プローブの一例の電極部材が対向配置された状態を示す部分断面図である。
【図２８】本願発明に係る同軸コネクタ装置の第２の例に検査用プローブの一例の電極部材が対向配置された状態を示す部分断面図である。
【図２９】本願発明に係る同軸コネクタ装置の第２の例に、それに設けられた透孔を通じて、検査用プローブの一例の電極部材が挿入された状態を示す部分断面図である。
【図３０】本願発明に係る同軸コネクタ装置の第２の例に、それに設けられた透孔を通じて、検査用プローブの一例の電極部材が挿入された状態を示す部分断面図である。
【発明を実施するための形態】
【００２２】
本願発明を実施するための形態は、以下に述べられる本願発明についての第１及び第２の実施例をもって説明される。
【実施例１】
【００２３】
図１〜図６は、本願発明に係る同軸コネクタ装置の第１の例を、それが一端に装着された同軸ケーブルとともに示す。図１〜図６に示される本願発明に係る同軸コネクタ装置の第１の例を成す同軸コネクタ装置１０は、実際の使用にあたっては、中心導体１１と外側導体１２とを有した同軸ケーブル１３の一端部に装着されて、回路基板における部品搭載面に取り付けられた相手方コネクタ装置（一例が後述される図１３〜図１５に示されている。）に係合接続されるものとされている。
【００２４】
図１〜図６において、同軸コネクタ装置１０は、主要構成要素として、導電性材料により形成されたシグナルコンタクト部材１４と、導電性材料により形成されたグラウンドコンタクト部材１５と、合成樹脂材等の絶縁材料により形成されてシグナルコンタクト部材１４とグラウンドコンタクト部材１５とを相互絶縁状態をもって支持する絶縁ハウジング部材１６と、を備えて構成されている。シグナルコンタクト部材１４は、同軸ケーブル１３の中心導体１１に接続される第１のコンタクト１８と、第１のコンタクト１８に対する接触接続状態と非接触接続状態とを選択的にとることができる第２のコンタクト１９と、を含んで成るものとされており、また、グラウンドコンタクト部材１５は、外部グラウンドコンタクト部とされる相手方コネクタ装置のグラウンドコンタクト部に嵌合接続された状態をとる環状嵌合部２０及び環状嵌合部２０から折曲可能に伸びるシェル部２１を有している。さらに、絶縁ハウジング部材１６は、グラウンドコンタクト部材１５の環状嵌合部２０により包囲された筒状体部２２を有し、第１のコンタクト１８及び第２のコンタクト１９を含んで成るシグナルコンタクト部材１４が取り付けられた第１のハウジング２３と、グラウンドコンタクト部材１５のシェル部２１に取り付けられて、第１のハウジング２３にそれとの間にコンタクト収容空間２４を形成して対向する状態をとる第２のハウジング２５と、を含んで成るものとされている。
【００２５】
シグナルコンタクト部材１４における第１のコンタクト１８は、第１のコンタクト１８を単体で示す図７に明瞭に示されるように、全体が導電性板状体に打抜き・屈曲加工が施されて成るものとされ、同軸ケーブル１３の中心導体１１に接続される中心導体接続部３１と、中心導体接続部３１から屈曲して伸びる被接触部３２と、を有している。また、シグナルコンタクト部材１４における第２のコンタクト１９は、第２のコンタクト１９を単体で示す図８及び図９に明瞭に示されるように、全体が導電性板状体に打抜き・屈曲加工が施されて成るものとされ、絶縁ハウジング部材１６における第１のハウジング２３により支持されてコンタクト収容空間２４内に配される弾性変形部３３と、各々が弾性変形部３３から伸びて相互対向する一対の接触係合部３４と、を有している。
【００２６】
第２のコンタクト１９における弾性変形部３３は、第１のハウジング２３の筒状体部２２の一端部に固定される固定部分３３ａと固定部分３３ａの一端から折り返して伸びて固定部分３３ａに対向する可動部分３３ｂとを有しており、可動部分３３ｂの自由端部が、第１のコンタクト１８の被接触部３２に接触接続される状態と第１のコンタクト１８の被接触部３２から離隔せしめられる状態とを選択的にとる接触部分３３ｃを成している。また、第２のコンタクト１９における一対の接触係合部３４は、第１のハウジング２３の筒状体部２２内を通じて筒状体部２２の他端部側へと伸び、外部シグナルコンタクト部とされる相手方コネクタ装置のシグナルコンタクト部を挟持して当該シグナルコンタクト部に接触接続される状態をとる。
【００２７】
グラウンドコンタクト部材１５を単体で示す図１０に明瞭に示されるように、グラウンドコンタクト部材１５の環状嵌合部２０は、絶縁ハウジング部材１６における第１のハウジング２３の部分が係合する複数の切欠き３９が形成されたものとされており、また、グラウンドコンタクト部材１５のシェル部２１は、環状嵌合部２０の一端部から伸びていて、環状嵌合部２０に向かって屈曲せしめられ、環状嵌合部２０の一端部に対向する位置をとるものとされている。そして、シェル部２１には、貫通孔３５（第１の貫通孔）が設けられているとともに、貫通孔３５の周囲においてシェル部２１の外方に突出する筒状部３６が設けられており、貫通孔３５は筒状部３６を貫通するものとされている。さらに、シェル部２１には、シグナルコンタクト部材１４における第１のコンタクト１８が中心導体１１に接続された同軸ケーブル１３に係合して当該同軸ケーブル１３を支える一対の第１の屈曲係合片３７と一対の第２の屈曲係合片３８とが設けられている。一対の第１の屈曲係合片３７は、同軸ケーブル１３に係合して当該同軸ケーブル１３を支える状態におかれるときには、同軸ケーブル１３の外側導体１２に接触接続される。
【００２８】
絶縁ハウジング部材１６における第１のハウジング２３は、第１のハウジング２３を単体で示す図１１に明瞭に示されるように、筒状体部２２に加えて、絶縁ハウジング部材１６における第２のハウジング２５と共にコンタクト収容空間２４を形成することになる内部空間形成部４０を筒状体部２２に連なるものとして備えている。内部空間形成部４０には、シグナルコンタクト部材１４における第１のコンタクト１８が固定配置される第１のコンタクト固定部４１と、シグナルコンタクト部材１４における第２のコンタクト１９の弾性変形部３３が有する固定部分３３ａが固定配置される第２のコンタクト固定部４２が設けられている。さらに、内部空間形成部４０には、それから外方に突出して、グラウンドコンタクト部材１５の環状嵌合部２０に形成された複数の切欠き３９に夫々係合する複数の係合突起部４３が設けられている。
【００２９】
絶縁ハウジング部材１６における第２のハウジング２５は、第２のハウジング２５を単体で示す図１２に明瞭に示されるように、グラウンドコンタクト部材１５のシェル部２１に設けられた筒状部３６に、それを貫通する貫通孔３５を通じて、内挿嵌合せしめられる筒状部４５が設けられたものとされており、筒状部４５の内側部分には、第２のハウジング２５を貫通する貫通孔４６（第２の貫通孔）が、その一端部が環状テーパー面を成す開口内面４６ａを有するものとして設けられている。当然のことながら、第２のハウジング２５に設けられた貫通孔４６はシェル部２１に設けられた貫通孔３５より小径である。また、第２のハウジング２５には、筒状部４５に加えて、絶縁ハウジング部材１６における第１のハウジング２３に備えられた内部空間形成部４０と共に、コンタクト収容空間２４を形成することになる内部空間形成部４７を筒状部４５に連なるものとして備えている。内部空間形成部４７には、第１のハウジング２３に備えられた内部空間形成部４０に係合する係合部４７ａが設けられている。
【００３０】
上述のような、第１のコンタクト１８と第２のコンタクト１９とを含んで成るシグナルコンタクト部材１４、環状嵌合部２０とシェル部２１とを有したグラウンドコンタクト部材１５、及び、第１のハウジング２３と第２のハウジング２５とを含んで成る絶縁ハウジング部材１６を備えた同軸コネクタ装置１０は、第２のハウジング２５が、それに設けられた筒状部４５をグラウンドコンタクト部材１５のシェル部２１に設けられた筒状部３６に貫通孔３５を通じて内挿嵌合させて、グラウンドコンタクト部材１５のシェル部２１に取り付けられたもとで、シグナルコンタクト部材１４を構成する第１のコンタクト１８の中心導体接続部３１が同軸ケーブル１３の中心導体１１に接続され、グラウンドコンタクト部材１５におけるシェル部２１が、それにおける一対の第１の屈曲係合片３７及び一対の第２の屈曲係合片３８が同軸ケーブル１３を支えるとともに、一対の第１の屈曲係合片３７が同軸ケーブル１３の外側導体１２に接触接続されるものとされて、同軸ケーブル１３の一端に装着される。
【００３１】
このようにして同軸ケーブル１３の一端に装着された同軸コネクタ装置１０にあっては、第１のハウジング２３に第２のハウジング２５が対向配置され、第１のハウジング２３における内部空間形成部４０に第２のハウジング２５における内部空間形成部４７に設けられた係合部４７ａが係合せしめられて、内部空間形成部４０と内部空間形成部４７とによりコンタクト収容空間２４が形成されたもとで、図５及び図６に示されるように、中心導体接続部３１が同軸ケーブル１３の中心導体１１に接続された第１のコンタクト１８の被接触部３２が、コンタクト収容空間２４内へと伸び、コンタクト収容空間２４内において、第２のコンタクト１９における弾性変形部３３が有する可動部分３３ｂの自由端部が成す接触部分３３ｃが第１のコンタクト１８の被接触部３２に接触接続された状態がとられる。このとき、第２のコンタクト１９における弾性変形部３３から伸びる一対の接触係合部３４は、第１のハウジング２３の筒状体部２２内に配されている。
【００３２】
また、図５及び図６に示されるように、グラウンドコンタクト部材１５のシェル部２１に設けられた筒状部３６に、それを貫通する貫通孔３５を通じて、内挿嵌合せしめられた第２のハウジング２５における筒状部４５を貫通する貫通孔４６は、その他端部をコンタクト収容空間２４に開口させて、開口部分を第２のコンタクト１９における弾性変形部３３が有する可動部分３３ｂに対向させている。このようなもとで、グラウンドコンタクト部材１５のシェル部２１に設けられた貫通孔３５と、それより小径のものとして第２のハウジング２５に設けられた貫通孔４６とは、第２のハウジング２５及びグラウンドコンタクト部材１５のシェル部２１にそれらを貫通して設けられて、コンタクト収容空間２４をシェル部２１の外部に通じさせる透孔４８を形成している。
【００３３】
それに加えて、図１に示されるように、グラウンドコンタクト部材１５における環状嵌合部２０に形成された複数の切欠き３９に第１のハウジング２３における空間形成部４０に形成された複数の係合突起部４３が夫々係合した状態がとられる。さらに、図５に示されるように、グラウンドコンタクト部材１５において、環状嵌合部２０に向かって屈曲せしめられて環状嵌合部２０の一端部に対向する位置をとるものとされたシェル部２１は、それに設けられた一対の第１の屈曲係合片３７が、中心導体１１に第１のコンタクト１８の中心導体接続部３１が接続された同軸ケーブル１３の外側導体１２に接触接続せしめられ、それにより、グラウンドコンタクト部材１５におけるシェル部２１が、同軸ケーブル１３の外側導体１２との接続状態におかれる。
【００３４】
図１３〜図１５は、同軸ケーブル１３の一端部に装着された同軸コネクタ装置１０が係合接続される相手方コネクタ装置の一例を成す相手方コネクタ装置５０を示す。相手方コネクタ装置５０は、実際の使用にあたっては、図示が省略されている回路基板における部品搭載面に取り付けられたものとされる。
【００３５】
図１３〜図１５において、相手方コネクタ装置５０は、合成樹脂材等の絶縁材料により形成されて、相手方コネクタ装置５０が固定される回路基板の部品搭載面上に配される絶縁基体５１を備えている。絶縁基体５１は、相手方コネクタ装置５０が固定される回路基板の部品搭載面に対接する底面部分５１ａとそれに対向する上面部分５１ｂとを有しており、上面部分５１ｂの中央部分に環状突出部５２が形成されている。
【００３６】
また、相手方コネクタ装置５０は、例えば、合金板材とされる弾性を有した導電材料により形成され、絶縁基体５１を上面部分５１ｂの中央部分に形成された環状突出部５２により包囲された状態をもって底面部分５１ａ側から上面部分５１ｂ側へと貫通して、絶縁基体５１に組み付けられるシグナルコンタクト部５３を備えている。シグナルコンタクト部５３には、絶縁基体５１において底面部分５１ａ側から上面部分５１ｂ側へと伸びる円柱状部を成す接触接続部５３ａと、絶縁基体５１の底面部分５１ａにおいて接触接続部５３ａから絶縁基体５１の外部へと伸びるシグナル用接続部５３ｂとが設けられている。接触接続部５３ａは、相手方コネクタ装置５０に係合接続された同軸コネクタ装置１０のシグナルコンタクト部材１４を構成する第２のコンタクト１９における一対の接触係合部３４が接触接続されるものとされ、シグナル用接続部５３ｂは、絶縁基体５１が配される部品搭載面を有する回路基板に設けられたシグナル端子に、例えば、半田付けにより接続される。
【００３７】
さらに、相手方コネクタ装置５０は、例えば、合金板材とされる弾性を有した導電材料により形成され、絶縁基体５１の上面部分５１ｂ側において、当該上面部分５１ｂ上に形成された環状突出部５２の周囲に配される環状体を成すものとして、絶縁基体５１に組み付けられたグラウンドコンタクト部５４を備えている。グラウンドコンタクト部５４には、それから絶縁基体５１を貫通して絶縁基体５１の底面部分５１ａ側において絶縁基体５１の外部へと伸びる複数のグラウンド接続部５４ａが設けられている。グラウンドコンタクト部５４は、相手側コネクタ装置５０に係合接続された同軸コネクタ装置１０におけるグラウンドコンタクト部材１５における環状嵌合部２０が嵌合接続されるものとされ、グラウンド接続部５４ａは、絶縁基体５１が配される部品搭載面を有する回路基板に設けられたグラウンド端子に、例えば、半田付けにより接続される。
【００３８】
そして、図１６〜図１９に示されるように、上述のようにして回路基板における部品搭載面上に固定された相手方コネクタ装置５０に、前述の同軸ケーブル１３の一端部に装着された同軸コネクタ装置１０が係合接続される。
【００３９】
同軸ケーブル１３の一端部に装着された同軸コネクタ装置１０が、回路基板における部品搭載面上に固定された相手方コネクタ装置５０に係合接続されたもとにあっては，同軸コネクタ装置１０のグラウンドコンタクト部材１５における環状嵌合部２０が、相手方コネクタ装置５０のグラウンドコンタクト部５４に嵌合接続せしめられる。それとともに、同軸コネクタ装置１０における第１のハウジング２３の筒状体部２２が、相手方コネクタ装置５０のグラウンドコンタクト部５４により包囲された絶縁基体５１の上面部分５１ｂ上に形成された環状突出部５２の内側に配されて、筒状体部２２内に、相手方コネクタ装置５０のシグナルコンタクト部５３における接触接続部５３ａが挿入され、筒状体部２２内に配された、同軸コネクタ装置１０の第２のコンタクト１９における一対の接触係合部３４が、相手方コネクタ装置５０のシグナルコンタクト部５３における接触接続部５３ａを挟持して、当該シグナルコンタクト部５３に接触接続される。
【００４０】
このようにして、同軸コネクタ装置１０の第２のコンタクト１９における一対の接触係合部３４が、相手方コネクタ装置５０のシグナルコンタクト部５３における接触接続部５３ａを挟持して、当該シグナルコンタクト部５３に接触接続されたもとにおいては、第２のコンタクト１９の弾性変形部３３が有する固定部分３３ａが、一対の接触係合部３４におけるシグナルコンタクト部５３との接触接続部分を覆うものとなる。即ち、同軸コネクタ装置１０の第２のコンタクト１９における一対の接触係合部３４が、相手方コネクタ装置５０のシグナルコンタクト部５３に接触接続されたときには、第２のコンタクト１９の弾性変形部３３が、それが有する固定部分３３ａによって、一対の接触係合部３４におけるシグナルコンタクト部５３との接触接続部分を覆うことになる位置をとるのである。
【００４１】
それにより、例えば、同軸コネクタ装置１０外からの塵埃等が、グラウンドコンタクト部材１５のシェル部２１に設けられた貫通孔３５と絶縁ハウジング部材１６を構成する第２のハウジング２５に設けられた貫通孔４６とにより形成されて開放された、第２のハウジング２５及びグラウンドコンタクト部材１５のシェル部２１の夫々を貫通する透孔４８を通じて、コンタクト収容空間２４内に侵入したとしても、斯かる塵埃等が、第２のコンタクト１９の弾性変形部３３によって覆われるものとされた、一対の接触係合部３４におけるシグナルコンタクト部５３との接触接続部分に付着することになる虞は、著しく低減される。
【００４２】
上述のように、同軸コネクタ装置１０のグラウンドコンタクト部材１５における環状嵌合部２０が、相手方コネクタ装置５０のグラウンドコンタクト部５４に嵌合接続せしめられることにより、同軸コネクタ装置１０のグラウンドコンタクト部材１５におけるシェル部２１が接触接続された同軸ケーブル１３の外側導体１２が、グラウンドコンタクト部材１５におけるシェル部２１及び環状嵌合部２０を介して、相手方コネクタ装置５０のグラウンドコンタクト部５４に連結され、回路基板に設けられたグラウンド端子に電気的に接続されることになる。また、それとともに、同軸コネクタ装置１０におけるシグナルコンタクト部材１４を構成する第２のコンタクト１９における一対の接触係合部３４が、相手方コネクタ装置５０のシグナルコンタクト部５３における接触接続部５３ａに接触接続されることにより、同軸コネクタ装置１０における第１のコンタクト１８の中心導体接続部３１が接続された同軸ケーブル１３の中心導体１１が、第１のコンタクト１８の被接触部３２、それに接触接続された接触部分３３ｃを有した第２のコンタクト１９の弾性変形部３３、及び、弾性変形部３３から伸びる一対の接触係合部３４を介して、相手方コネクタ装置５０のシグナルコンタクト部５３に連結され、回路基板に設けられたシグナル端子に電気的に接続されることになる。
【００４３】
斯かるもとで、相手方コネクタ装置５０が固定された回路基板の部品搭載面に搭載されて回路基板に設けられたシグナル端子に接続された、例えば、集積回路チップとされる回路装置を検査装置に連結して、当該回路装置についての検査を行うことが要求され、そのため、相手方コネクタ装置５０のシグナルコンタクト部５３から検査対象の回路装置が発生する高周波信号を取り出すことが必要とされることが考えられる。その際における回路装置を検査対象とする検査装置は、一般に、検査対象に連結される検査用プローブを備えている。図１６〜図１９には、斯かる検査用プローブの一例を成す検査用プローブ６０の部分が示されている。
【００４４】
図１６〜図１９に示される検査用プローブ６０の部分は、例えば、集積回路チップ用の検査装置（図示されていない。）から伸びるものとされており、円筒状の外筒部６１と外筒部６１内に同軸状に配された円筒状の内筒部６２とを有しており、内筒部６２内には、検査装置に電気的に接続されていて内筒部６２をその軸方向に貫通する比較的細い棒状の電極部材６３が配されている。同軸状に配された外筒部６１及び内筒部６２の一端部には、平底係合凹部６４が形成されている。そして、電極部材６３は、内筒部６２内を内筒部６２の軸孔方向に移動可能とされていて、必要に応じて、その先端部６３ａを内筒部６２内から平底係合凹部６４を通じて外筒部６１及び内筒部６２の外部に突出せしめられるものとされている。
【００４５】
このような図１６〜図１９にその部分が示される検査用プローブ６０は、回路基板に設けられたシグナル端子に接続された回路装置の検査に際しては、先ず、図１６及び図１７に示されるように、外筒部６１及び内筒部６２の一端部に形成された平底係合凹部６４を、相手方コネクタ装置５０に係合接続された同軸コネクタ装置１０におけるグラウンドコンタクト部材１５のシェル部２１に設けられた筒状部３６及び第２のハウジング２５に設けられて筒状部３６に内挿嵌合せしめられた筒状部４５に対向させる位置に配される。このとき、検査用プローブ６０における内筒部６２内に配された電極部材６３は、その先端部６３ａが、同軸コネクタ装置１０における透孔４８を形成するものとして第２のハウジング２５に設けられた筒状部４５を貫通する貫通孔４６における、環状テーパー面を成す開口内面４６ａを有した一端部に対応して配置されるものとされる。
【００４６】
次に、検査用プローブ６０が相手方コネクタ装置５０に係合接続された同軸コネクタ装置１０に近接せしめられ、図１８及び図１９に示されるように、検査用プローブ６０における外筒部６１及び内筒部６２の一端部に形成された平底係合凹部６４が、同軸コネクタ装置１０におけるグラウンドコンタクト部材１５のシェル部２１に設けられた筒状部３６に当接する状態がとられる。続いて、図１８及び図１９に示されるように、検査用プローブ６０における電極部材６３が、その先端部６３ａを内筒部６２内から平底係合凹部６４を通じて外筒部６１及び内筒部６２の外部に突出させるものとされ、電極部材６３の先端部６３ａは、同軸コネクタ装置１０における第２のハウジング２５に設けられた筒状部４５を貫通する貫通孔４６内に、環状テーパー面を成す開口内面４６ａを有した貫通孔４６の一端部側から挿入され、貫通孔４６を通じて、同軸コネクタ装置１０における絶縁ハウジング部材１６を成す第１のハウジング２３及び第２のハウジング２５の内部に形成されたコンタクト収容空間２４に達する。コンタクト収容空間２４に達した電極部材６３の先端部６３ａは、同軸コネクタ装置１０におけるシグナルコンタクト部材１４を構成する第２のコンタクト１９の弾性変形部３３が有する可動部分３３ｂに押圧当接して、可動部分３３ｂに弾性変形部３３が有する固定部分３３ａに向けて変位する弾性変位を生じさせる。
【００４７】
斯かる弾性変位を生じた可動部分３３ｂは、その自由端部が成す接触部分３３ｃを、第２のコンタクト１９と共にシグナルコンタクト部材１４を構成する第１のコンタクト１８の被接触部３２から離隔させて、接触部分３３ｃに第１のコンタクト１８の被接触部３２との接触接続状態を解除させ、電極部材６３の先端部６３ａのみに接触接続されたものとされる。その結果、回路基板に設けられたシグナル端子を通じて相手方コネクタ装置５０のシグナルコンタクト部５３に伝達される検査対象の回路装置からの高周波信号が、シグナルコンタクト部５３の接触接続部５３ａ、それに接触接続された一対の接触係合部３４と弾性変形部３３とを有した第２のコンタクト１９、及び、第２のコンタクト１９の弾性変形部３３が有する可動部分３３ｂに当接した電極部材６３を通じて取り出されて、電極部材６３が連結された検査装置に供給される。それにより、検査装置において、回路装置についての検査が行われる。
【００４８】
なお、回路装置についての検査が終了して、検査用プローブ６０における電極部材６３が、同軸コネクタ装置１０におけるコンタクト収容空間２４及び第２のハウジング２５に設けられた筒状部４５を貫通する貫通孔４６内から抜去されたときには、コンタクト収容空間２４内において、第２のコンタクト１９の弾性変形部３３が有する可動部分３３ｂが自らの弾性によって元の位置に戻り、その自由端部が成す接触部分３３ｃに第１のコンタクト１８の被接触部３２に接触接続された状態をとらせる。
【００４９】
上述のような同軸コネクタ装置１０によれば、同軸コネクタ装置１０が相手方コネクタ装置５０に係合接続された状態のもとで、グラウンドコンタクト部材１５のシェル部２１に設けられた貫通孔３５と絶縁ハウジング部材１６を構成する第２のハウジング２５に設けられた貫通孔４６とにより形成される、第２のハウジング２５及びグラウンドコンタクト部材１５のシェル部２１の夫々を貫通する透孔４８を通じてコンタクト収容空間２４内に挿入され、コンタクト収容空間２４内においてシグナルコンタクト部材１４を構成する第２のコンタクト１９に当接する検査用プローブ６０の電極部材６３を通じて、相手方コネクタ装置５０のシグナルコンタクト部５３から高周波信号を取り出すことができる。
【００５０】
しかも、同軸コネクタ装置１０によれば、同軸コネクタ装置１０における第２のコンタクト１９における一対の接触係合部３４が、相手方コネクタ装置５０のシグナルコンタクト部５３に接触接続されたときには、第２のコンタクト１９の弾性変形部３３が、それが有する固定部分３３ａによって、一対の接触係合部３４におけるシグナルコンタクト部５３との接触接続部分を覆うことになる位置をとり、それにより、例えば、同軸コネクタ装置１０外から、グラウンドコンタクト部材１５のシェル部２１に設けられた貫通孔３５と絶縁ハウジング部材１６を構成する第２のハウジング２５に設けられた貫通孔４６とにより形成されて開放された、第２のハウジング２５及びグラウンドコンタクト部材１５のシェル部２１の夫々を貫通する透孔４８を通じて、コンタクト収容空間２４内に侵入した塵埃等が、第２のコンタクト１９の弾性変形部３３によって覆われるものとされた、一対の接触係合部３４におけるシグナルコンタクト部５３との接触接続部分に付着することになる虞が、著しく低減される。従って、例えば、絶縁ハウジング部材１６を構成する第２のハウジング２５に設けられた貫通孔４６を塞ぐ蓋部材等を必要としない、部材数の増加や作業上の煩わしさを招かない構成をもって、開放された透孔４８を通じて侵入した塵埃等が、シグナルコンタクト部材１４と相手方コネクタ装置５０のシグナルコンタクト部５３との接触接続状態に悪影響を及ぼす事態を回避することができる。
【実施例２】
【００５１】
図２０〜図２４は、本願発明に係る同軸コネクタ装置の第２の例を、それが一端に装着された同軸ケーブルとともに示す。図２０〜図２４に示される本願発明に係る同軸コネクタ装置の第２の例を成す同軸コネクタ装置７０も、実際の使用にあたっては、前述の中心導体１１と外側導体１２とを有した同軸ケーブル１３の一端部に装着されて、回路基板における部品搭載面に取り付けられた前述の相手方コネクタ装置５０に係合接続されるものとされている。
【００５２】
同軸コネクタ装置７０は、前述の同軸コネクタ装置１０と同様に構成された部材及び部分を多々有しており、このような同軸コネクタ装置１０と同様に構成された部材及び部分は、図２０〜図２４において、同軸コネクタ装置１０と共通の符号が付されて示されていて、それらについての詳細説明は省略される。
【００５３】
斯かる同軸コネクタ装置７０は、主要構成要素として、導電性材料により形成されたシグナルコンタクト部材１４と、導電性材料により形成されたグラウンドコンタクト部材７１と、合成樹脂材等の絶縁材料により形成されてシグナルコンタクト部材１４とグラウンドコンタクト部材７１とを相互絶縁状態をもって支持する絶縁ハウジング部材７２と、を備えて構成されている。グラウンドコンタクト部材７１は、外部グラウンドコンタクト部とされる相手方コネクタ装置５０のグラウンドコンタクト部５４に嵌合接続された状態をとる環状嵌合部２０及び環状嵌合部２０から折曲可能に伸びるシェル部７３を有している。さらに、絶縁ハウジング部材７２は、グラウンドコンタクト部材７１の環状嵌合部２０により包囲された筒状体部２２を有し、第１のコンタクト１８及び第２のコンタクト１９を含んで成るシグナルコンタクト部材１４が取り付けられた第１のハウジング２３と、グラウンドコンタクト部材７１のシェル部７３に取り付けられて、第１のハウジング２３にそれとの間にコンタクト収容空間２４を形成して対向する状態をとる第２のハウジング７４と、を含んで成るものとされている。シグナルコンタクト部材１４は、前述の同軸コネクタ装置１０におけるシグナルコンタクト部材１４と同様のものである。
【００５４】
グラウンドコンタクト部材７１を単体で示す図２５に明瞭に示されるように、グラウンドコンタクト部材７１の環状嵌合部２０は、前述の同軸コネクタ装置１０におけるグラウンドコンタクト部材１５の環状嵌合部２０と同様のものであり、また、グラウンドコンタクト部材７１のシェル部７３は、環状嵌合部２０の一端部から伸びていて、環状嵌合部２０に向かって屈曲せしめられ、環状嵌合部２０の一端部に対向する位置をとるものとされている。そして、シェル部７３には、貫通孔７５（第１の貫通孔）が、その一端部に環状テーパー面を成す開口内面７５ａが形成されたものとして設けられており、その貫通孔７５に隣接する貫通孔として形成された係合孔７６も設けられている。さらに、シェル部７３には、シグナルコンタクト部材１４における第１のコンタクト１８が中心導体１１に接続された同軸ケーブル１３に係合して当該同軸ケーブル１３を支える一対の第１の屈曲係合片３７と一対の第２の屈曲係合片３８とが設けられている。これらの第１の屈曲係合片３７及び第２の屈曲係合片３８は、前述の同軸コネクタ装置１０におけるグラウンドコンタクト部材１５のシェル部２１に設けられた第１の屈曲係合片３７及び第２の屈曲係合片３８と同様のものである。
【００５５】
絶縁ハウジング部材７２における第１のハウジング２３は、前述の同軸コネクタ装置１０における絶縁ハウジング部材１６における第１のハウジング２３と同様のものであり、また、絶縁ハウジング部材７２における第２のハウジング７４は、第２のハウジング７４を単体で示す図２６に明瞭に示されるように、グラウンドコンタクト部材７１のシェル部７３に設けられた貫通孔７５より小径の貫通孔７７（第２の貫通孔）が、その一端部に環状テーパー面を成す開口内面７７ａが形成されたものとして設けられたものとされている。そして、第２のハウジング７４には、グラウンドコンタクト部材７１のシェル部７３に設けられた係合孔７６に嵌合係合する状態をとる係合突起部７８が設けられており、さらに、第１のハウジング２３に備えられた内部空間形成部４０と共に、コンタクト収容空間２４を形成することになる内部空間形成部７９が備えられている。内部空間形成部７９には、第１のハウジング２３に備えられた内部空間形成部４０に係合する係合部７９ａが設けられている。
【００５６】
上述のような、第１のコンタクト１８と第２のコンタクト１９とを含んで成るシグナルコンタクト部材１４，環状嵌合部２０とシェル部７３とを有したグラウンドコンタクト部材７１、及び、第１のハウジング２３と第２のハウジング７４とを含んで成る絶縁ハウジング部材７２を備えた同軸コネクタ装置７０は、第２のハウジング７４が、それに設けられた係合突起部７８をグラウンドコンタクト部材７１のシェル部７３に設けられた係合孔７６に嵌合係合させて、グラウンドコンタクト部材７１のシェル部７３に取り付けられたもとで、シグナルコンタクト部材１４を構成する第１のコンタクト１８の中心導体接続部３１が同軸ケーブル１３の中心導体１１に接続され、グラウンドコンタクト部材７１におけるシェル部７３が、それにおける一対の第１の屈曲係合片３７及び一対の第２の屈曲係合片３８が同軸ケーブル１３を支えるとともに、一対の第１の屈曲係合片３７が同軸ケーブル１３の外側導体１２に接触接続されるものとされて、同軸ケーブル１３の一端に装着される。
【００５７】
このようにして同軸ケーブル１３の一端に装着された同軸コネクタ装置７０にあっては、第１のハウジング２３に第２のハウジング７４が対向配置され、第１のハウジング２３における内部空間形成部４０に第２のハウジング７４における内部空間形成部７９に設けられた係合部７９ａが係合せしめられて、内部空間形成部４０と内部空間形成部７９とによりコンタクト収容空間２４が形成されたもとで、図２３及び図２４に示されるように、中心導体接続部３１が同軸ケーブル１３の中心導体１１に接続された第１のコンタクト１８の被接触部３２が、コンタクト収容空間２４内へと伸び、コンタクト収容空間２４内において、第２のコンタクト１９における弾性変形部３３が有する可動部分３３ｂの自由端部が成す接触部分３３ｃが第１のコンタクト１８の被接触部３２に接触接続された状態がとられる。このとき、第２のコンタクト１９における弾性変形部３３から伸びる一対の接触係合部３４は、第１のハウジング２３の筒状体部２２内に配されている。
【００５８】
また、図２３及び図２４に示されるように、グラウンドコンタクト部材７１のシェル部７３に設けられた貫通孔７５が、貫通孔７５より小径の第２のハウジング７４に設けられた貫通孔７７の外側に配されて、貫通孔７５の仮想中心軸線と貫通孔７７の仮想中心軸線とが実質的に一致するようにされている。そして、貫通孔７５の内側に配された貫通孔７７は、その他端部をコンタクト収容空間２４に開口させて、開口部分を第２のコンタクト１９における弾性変形部３３が有する可動部分３３ｂに対向させている。このようなもとで、グラウンドコンタクト部材７１のシェル部７３に設けられた貫通孔７５と、それより小径のものとして第２のハウジング７４に設けられた貫通孔７７とは、第２のハウジング７４及びグラウンドコンタクト部材７１のシェル部７３にそれらを貫通して設けられて、コンタクト収容空間２４をシェル部７３の外部に通じさせる透孔８０を形成している。
【００５９】
それに加えて、図２０に示されるように、グラウンドコンタクト部材７１における環状嵌合部２０に形成された複数の切欠き３９（図２０には一つの切欠き３９のみがあらわれている。）に第１のハウジング２３における空間形成部４０に形成された複数の係合突起部４３が夫々係合した状態がとられる。さらに、図２３に示されるように、グラウンドコンタクト部材７１において、環状嵌合部２０に向かって屈曲せしめられて環状嵌合部２０の一端部に対向する位置をとるものとされたシェル部７３は、それに設けられた一対の第１の屈曲係合片３７が、中心導体１１に第１のコンタクト１８の中心導体接続部３１が接続された同軸ケーブル１３の外側導体１２に接触接続せしめられ、それにより、グラウンドコンタクト部材７１におけるシェル部７３が、同軸ケーブル１３の外側導体１２との接続状態におかれる。
【００６０】
そして、図２７〜図３０に示されるように、同軸ケーブル１３の一端部に装着された同軸コネクタ装置７０は、回路基板における部品搭載面上に固定された、前述の図１３〜図１５に示される相手方コネクタ装置５０に係合接続される。
【００６１】
同軸ケーブル１３の一端部に装着された同軸コネクタ装置７０が、回路基板における部品搭載面上に固定された相手方コネクタ装置５０に係合接続されたもとにあっては，同軸コネクタ装置７０のグラウンドコンタクト部材７１における環状嵌合部２０が、相手方コネクタ装置５０のグラウンドコンタクト部５４に嵌合接続せしめられる。それとともに、同軸コネクタ装置７０における第１のハウジング２３の筒状体部２２が、相手方コネクタ装置５０のグラウンドコンタクト部５４により包囲された絶縁基体５１の上面部分５１ｂ上に形成された環状突出部５２の内側に配されて、筒状体部２２内に、相手方コネクタ装置５０のシグナルコンタクト部５３における接触接続部５３ａが挿入され、筒状体部２２内に配された、同軸コネクタ装置７０における第２のコンタクト１９における一対の接触係合部３４が、相手方コネクタ装置５０のシグナルコンタクト部５３における接触接続部５３ａを挟持して、当該シグナルコンタクト部５３に接触接続される。
【００６２】
このようにして、同軸コネクタ装置７０の第２のコンタクト１９における一対の接触係合部３４が、相手方コネクタ装置５０のシグナルコンタクト部５３における接触接続部５３ａを挟持して、当該シグナルコンタクト部５３に接触接続されたもとにおいては、第２のコンタクト１９の弾性変形部３３が有する固定部分３３ａが、一対の接触係合部３４におけるシグナルコンタクト部５３との接触接続部分を覆うものとなる。即ち、同軸コネクタ装置７０の第２のコンタクト１９における一対の接触係合部３４が、相手方コネクタ装置５０のシグナルコンタクト部５３に接触接続されたときには、第２のコンタクト１９の弾性変形部３３が、それが有する固定部分３３ａによって、一対の接触係合部３４におけるシグナルコンタクト部５３との接触接続部分を覆うことになる位置をとるのである。
【００６３】
それにより、例えば、同軸コネクタ装置７０外からの塵埃等が、グラウンドコンタクト部材７１のシェル部７３に設けられた貫通孔７５と絶縁ハウジング部材７２を構成する第２のハウジング７４に設けられた貫通孔７７とにより形成されて開放された、第２のハウジング７４及びグラウンドコンタクト部材７１のシェル部７３の夫々を貫通する透孔８０を通じて、コンタクト収容空間２４内に侵入したとしても、斯かる塵埃等が、第２のコンタクト１９の弾性変形部３３によって覆われるものとされた、一対の接触係合部３４におけるシグナルコンタクト部５３との接触接続部分に付着することになる虞は、著しく低減される。
【００６４】
上述のように、同軸コネクタ装置７０のグラウンドコンタクト部材７１における環状嵌合部２０が、相手方コネクタ装置５０のグラウンドコンタクト部５４に嵌合接続せしめられることにより、同軸コネクタ装置７０のグラウンドコンタクト部材７１におけるシェル部７３が接触接続された同軸ケーブル１３の外側導体１２が、グラウンドコンタクト部材７１におけるシェル部７３及び環状嵌合部２０を介して、相手方コネクタ装置５０のグラウンドコンタクト部５４に連結され、回路基板に設けられたグラウンド端子に電気的に接続されることになる。また、それとともに、同軸コネクタ装置７０におけるシグナルコンタクト部材１４を構成する第２のコンタクト１９における一対の接触係合部３４が、相手方コネクタ装置５０のシグナルコンタクト部５３における接触接続部５３ａに接触接続されることにより、同軸コネクタ装置７０における第１のコンタクト１８の中心導体接続部３１が接続された同軸ケーブル１３の中心導体１１が、第１のコンタクト１８の被接触部３２、それに接触接続された接触部分３３ｃを有した第２のコンタクト１９の弾性変形部３３、及び、弾性変形部３３から伸びる一対の接触係合部３４を介して、相手方コネクタ装置５０のシグナルコンタクト部５３に連結され、回路基板に設けられたシグナル端子に電気的に接続されることになる。
【００６５】
斯かるもとで、相手方コネクタ装置５０が固定された回路基板の部品搭載面に搭載されて回路基板に設けられたシグナル端子に接続された、例えば、集積回路チップとされる回路装置を検査装置に連結して、当該回路装置についての検査を行うことが要求され、そのため、相手方コネクタ装置５０のシグナルコンタクト部５３から検査対象の回路装置が発生する高周波信号を取り出すことが必要とされることが考えられる。その際における回路装置を検査対象とする検査装置は、一般に、検査対象に連結される検査用プローブを備えている。図２７〜図３０には、斯かる検査用プローブの一例を成す検査用プローブ９０の部分が示されている。
【００６６】
図２７〜図３０に示される検査用プローブ９０の部分は、例えば、集積回路チップ用の検査装置（図示されていない。）から伸びるものとされており、円筒状の外筒部９１と外筒部９１内に同軸状に配された円筒状の内筒部９２とを有しており、内筒部９２内には、検査装置に電気的に接続されていて内筒部９２をその軸方向に貫通する比較的細い棒状の電極部材９３が配されている。外筒部９１の一端部には、内筒部９２の一端面から外筒部９１の外部へと通じる透孔９４が形成されており、外筒部９１の一端部の外面部分には、透孔９４を包囲するテーパー外周面９５ａを有した環状係合凸部９５が形成されている。そして、電極部材９３は、内筒部９２内を内筒部９２の軸孔方向に移動可能とされていて、必要に応じて、その先端部９３ａを内筒部９２内から外筒部９１の一端部に形成された透孔９４を通じて外筒部９１の外部に突出せしめられるものとされている。
【００６７】
このような図２７〜図３０にその部分が示される検査用プローブ９０は、同軸コネクタ装置７０が嵌合接続された相手方コネクタ装置５０を支持する回路基板におけるシグナル端子に接続された回路装置の検査に際しては、先ず、図２７及び図２８に示されるように、外筒部９１の一端部の外面部分に形成された環状係合凸部９５を、相手方コネクタ装置５０に係合接続された同軸コネクタ装置７０におけるグラウンドコンタクト部材７１のシェル部７３に設けられた貫通孔７５に対向させる位置に配される。このとき、検査用プローブ９０における内筒部９２内に配された電極部材９３は、その先端部９３ａが、同軸コネクタ装置７０における、グラウンドコンタクト部材７１のシェル部７３に設けられた貫通孔７５と第２のハウジング７４に設けられた貫通孔７７とが形成する透孔８０に対応して配置されるものとされる。
【００６８】
次に、検査用プローブ９０が相手方コネクタ装置５０に係合接続された同軸コネクタ装置７０に近接せしめられ、図２９及び図３０に示されるように、検査用プローブ９０における外筒部９１の一端部の外面部分に形成された環状係合凸部９５が、同軸コネクタ装置７０におけるグラウンドコンタクト部材７１のシェル部７３に形成された貫通孔７５の開口内面７５ａに当接する状態がとられる。続いて、図２９及び図３０に示されるように、検査用プローブ９０における電極部材９３が、その先端部９３ａを内筒部９２内から外筒部９１の一端部に形成された透孔９４を通じて外筒部９１の外部に突出せしめられるものとされ、電極部材９３の先端部９３ａは、同軸コネクタ装置７０におけるグラウンドコンタクト部材７１のシェル部７３に設けられた貫通孔７５と第２のハウジング７４に設けられた貫通孔７７を通じて、同軸コネクタ装置７０における絶縁ハウジング部材７２を成す第１のハウジング２３及び第２のハウジング７４の内部に形成されたコンタクト収容空間２４に達する。コンタクト収容空間２４に達した電極部材９３の先端部９３ａは、同軸コネクタ装置７０におけるシグナルコンタクト部材１４を構成する第２のコンタクト１９の弾性変形部３３が有する可動部分３３ｂに押圧当接して、可動部分３３ｂに弾性変形部３３が有する固定部分３３ａに向けて変位する弾性変位を生じさせる。
【００６９】
斯かる弾性変位を生じた可動部分３３ｂは、その自由端部が成す接触部分３３ｃを、第２のコンタクト１９と共にシグナルコンタクト部材１４を構成する第１のコンタクト１８の被接触部３２から離隔させて、接触部分３３ｃに第１のコンタクト１８の被接触部３２との接触接続状態を解除させ、電極部材９３の先端部９３ａのみに接触接続されたものとされる。その結果、回路基板に設けられたシグナル端子を通じて相手方コネクタ装置５０のシグナルコンタクト部５３に伝達される検査対象の回路装置からの高周波信号が、シグナルコンタクト部５３の接触接続部５３ａ、それに接触接続された一対の接触係合部３４と弾性変形部３３とを有した第２のコンタクト１９、及び、第２のコンタクト１９の弾性変形部３３が有する可動部分３３ｂに当接した電極部材９３を通じて取り出されて、電極部材９３が連結された検査装置に供給される。それにより、検査装置において、回路装置についての検査が行われる。
【００７０】
このように、同軸コネクタ装置７０によれば、同軸コネクタ装置７０が相手方コネクタ装置５０に係合接続された状態のもとで、グラウンドコンタクト部材７１のシェル部７３に設けられた貫通孔７５と絶縁ハウジング部材１６を構成する第２のハウジング７４に設けられた貫通孔７７とにより形成される、第２のハウジング７４及びグラウンドコンタクト部材７１のシェル部７３の夫々を貫通する透孔８０を通じてコンタクト収容空間２４内に挿入され、コンタクト収容空間２４内においてシグナルコンタクト部材１４を構成する第２のコンタクト１９に当接する検査用プローブ９０の電極部材９３を通じて、相手方コネクタ装置５０のシグナルコンタクト部５３から高周波信号を取り出すことができる。
【００７１】
しかも、同軸コネクタ装置７０によれば、同軸コネクタ装置７０における第２のコンタクト１９における一対の接触係合部３４が、相手方コネクタ装置５０のシグナルコンタクト部５３に接触接続されたときには、第２のコンタクト１９の弾性変形部３３が、それが有する固定部分３３ａによって、一対の接触係合部３４におけるシグナルコンタクト部５３との接触接続部分を覆うことになる位置をとり、それにより、例えば、同軸コネクタ装置７０外から、グラウンドコンタクト部材７１のシェル部７３に設けられた貫通孔７５と絶縁ハウジング部材７２を構成する第２のハウジング７４に設けられた貫通孔７７とにより形成されて開放された、第２のハウジング７４及びグラウンドコンタクト部材７１のシェル部７３の夫々を貫通する透孔８０を通じて、コンタクト収容空間２４内に侵入した塵埃等が、第２のコンタクト１９の弾性変形部３３によって覆われるものとされた、一対の接触係合部３４におけるシグナルコンタクト部５３との接触接続部分に付着することになる虞が、著しく低減される。従って、例えば、グラウンドコンタクト部材７１のシェル部７３に設けられた貫通孔７５を塞ぐ蓋部材等を必要としない、部材数の増加や作業上の煩わしさを招かない構成をもって、開放された透孔８０を通じて侵入した塵埃等が、シグナルコンタクト部材１４と相手方コネクタ装置５０のシグナルコンタクト部５３との接触接続状態に悪影響を及ぼす事態を回避することができる。
【産業上の利用可能性】
【００７２】
以上のような本願発明に係る同軸コネクタ装置は、同軸ケーブルの中心導体を、相手方コネクタ装置のシグナルコンタクト部に連結する状態をとるシグナルコンタクト部材と、同軸ケーブルの外側導体に接続されるシェル部を有し、同軸ケーブルの外側導体を相手方コネクタ装置のグラウンドコンタクト部に連結するグラウンドコンタクト部材と、シグナルコンタクト部材とグラウンドコンタクト部材とを相互絶縁状態をもって支持する絶縁ハウジング部材とを備えて構成され、相手方コネクタ装置に係合接続された状態のもとで、絶縁ハウジング部材及びグラウンドコンタクト部材のシェル部の夫々を貫通する透孔を通じて挿入された外部電極部材を通じて相手方コネクタ装置のシグナルコンタクト部から高周波信号を取り出すことができ、しかも、部材数の増加や作業上の煩わしさを招かない構成をもって、開放された透孔を通じて侵入した塵埃等がシグナルコンタクト部材と相手方コネクタ装置のシグナルコンタクト部との接触接続状態に悪影響を及ぼす事態を回避することができるものとして、各種の電子機器等に広く適用され得るものである。
【符号の説明】
【００７３】
１０，７０・・・同軸コネクタ装置，  １１・・・中心導体，  １２・・・外側導体，  １３・・・同軸ケーブル，  １４・・・シグナルコンタクト部材，  １５，７１・・・グラウンドコンタクト部材，  １６，７２・・・絶縁ハウジング部材，  １８・・・第１のコンタクト，  １９・・・第２のコンタクト，  ２０・・・環状嵌合部，  ２１，７３・・・シェル部，  ２２・・・筒状体部，  ２３・・・第１のハウジング，  ２４・・・コンタクト収容空間，  ２５，７４・・・第２のハウジング，  ３１・・・中心導体接続部，  ３２・・・被接触部，  ３３・・・弾性変形部，  ３３ａ・・・固定部分，  ３３ｂ・・・可動部分，  ３３ｃ・・・接触部分，  ３４・・・接触係合部，  ３５，４６，７５，７７・・・貫通孔，  ３６，４５・・・筒状部，  ３７・・・第１の屈曲係合片，  ３８・・・第２の屈曲係合片，  ４０，４７，７９・・・内部空間形成部，  ４８，８０，９４・・・透孔，  ５０・・・相手方コネクタ装置，  ５１・・・絶縁基体，  ５３・・・シグナルコンタクト部，  ５４・・・グラウンドコンタクト部，  ６０，９０・・・検査用プローブ，  ６１，９１・・・外筒部，  ６２，９２・・・内筒部，  ６３，９３・・・電極部材，  ６４・・・平底係合凹部，  ９５・・・環状係合凸部
【図１】
2018006110.tif 000003
【図２】
2018006110.tif 000004
【図３】
2018006110.tif 000005
【図４】
2018006110.tif 000006
【図５】
2018006110.tif 000007
【図６】
2018006110.tif 000008
【図７】
2018006110.tif 000009
【図８】
2018006110.tif 000010
【図９】
2018006110.tif 000011
【図１０】
2018006110.tif 000012
【図１１】
2018006110.tif 000013
【図１２】
2018006110.tif 000014
【図１３】
2018006110.tif 000015
【図１４】
2018006110.tif 000016
【図１５】
2018006110.tif 000017
【図１６】
2018006110.tif 000018
【図１７】
2018006110.tif 000019
【図１８】
2018006110.tif 000020
【図１９】
2018006110.tif 000021
【図２０】
2018006110.tif 000022
【図２１】
2018006110.tif 000023
【図２２】
2018006110.tif 000024
【図２３】
2018006110.tif 000025
【図２４】
2018006110.tif 000026
【図２５】
2018006110.tif 000027
【図２６】
2018006110.tif 000028
【図２７】
2018006110.tif 000029
【図２８】
2018006110.tif 000030
【図２９】
2018006110.tif 000031
【図３０】
2018006110.tif 000032